(57)【特許請求の範囲】
【請求項１】
透明の弱酸性石鹸内部に乾燥した立体植物を埋着した装飾用のアート石鹸において、上記弱酸性石鹸のｐＨを６以下にすると共に埋着される乾燥立体植物のｐＨを石鹸のｐＨとほぼ等しくしたことを特徴とする装飾用アート石鹸。
【請求項２】
透明の弱酸性石鹸内部に乾燥した押し植物を埋着した装飾用のアート石鹸において、上記弱酸性石鹸のｐＨを６以下にすると共に埋着される乾燥押し植物のｐＨを石鹸のｐＨとほぼ等しくしたことを特徴とする装飾用アート石鹸。
【請求項３】
上記立体植物として花を用いた請求項１記載の装飾用アート石鹸。
【請求項４】
上記押し植物として押し花を用いた請求項２記載の装飾用アート石鹸。
【発明の詳細な説明】
【０００１】
【発明の属する技術分野】
本発明は内部に立体花や押し花等の乾燥植物を埋着して装飾効果をもたらした弱酸性の透明石鹸又は半透明石鹸に関するものである。
【０００２】
【従来の技術】
一口に石鹸と言ってもその種類は色々あり、近年ではこの石鹸を透明又は半透明として、内部に図柄を埋着したり、押し花を埋着することで装飾効果を備えた石鹸が人気を呼び多用されている。例えば実開昭５５−１４６４５５号に係る「図柄を入れた石けん」は透明石けんの中に文字や模様を入れたものである。実開昭５８−１６３５４４号に係る「複合石鹸」は各色の石鹸を組合せたものである。
【０００３】
特開昭６１−７６６００号に係る「広告用石けん」は透明又は半透明の固型石けんと発泡合成樹脂等の軽量材製の台の間に、印刷紙又は印刷樹脂フイルムをサンドイッチ状に挟み込んで、接着剤で一体化している。特開昭６１−２３３１００号に係る「植物入り透明石けんセット」は生薬、ポプリ又は花等の植物の少なくとも１種の原形体又は破砕体と、溶融温度の低い透明石けんとを有している。
【０００４】
実用新案登録第３０６４４８７号に係る「押し花付き石鹸」は固形石鹸本体の表面又は内部に、押し花を装飾として付加している。ところで、該押し花付き石鹸は押し花等の植物を石鹸内部に埋着しているが、これら植物の鮮やかな色彩が変化してしまい、装飾用のアート石鹸としての効果が半減することになる。色彩の変化は空気に触れることで発生するが、石鹸に埋着するまでに変色してしまったり、埋着工程において変色する。さらに埋着後には石鹸の成分によって変色する。
【０００５】
【発明が解決しようとする課題】
このように従来の装飾用アート石鹸には上記のごとき問題がある。本発明が解決しようとする課題はこの問題点であり、埋着前及び埋着工程にては変色しないことは前提の上で、鮮やかな色彩を保って作られた押し花等が透明な石鹸に埋着した後で変色しないようにした装飾用アート石鹸を提供する。
【０００６】
【課題を解決する為の手段】
本発明に係る装飾用アート石鹸は押し花等の植物を弱酸性の透明の石鹸内に埋着したものである。ところで埋着した植物が後で変色しないように、十分に乾燥して内部の水分を除去した状態で石鹸に埋着する。この場合、乾燥方法は色々あるが、本発明では限定しないことにする。そして、単に乾燥するだけでなく埋着される植物と石鹸のｐＨがほぼ一致するように調整する。
【０００７】
乾燥処理される押し花等のｐＨは約５．５〜６以下に成るように処理し、このｐＨに石鹸のｐＨをほぼ一致させる。本発明の透明石鹸は弱酸性であって、ｐＨは６以下となっている。弱酸性の石鹸と埋着される乾燥植物間のｐＨの誤差範囲は０．５の範囲内でなくてはならず、出来れば０．１〜０．２の範囲にｐＨを一致させることが良い。
【０００８】
このように乾燥処理されてｐＨがほぼ一致する状態で弱酸性の透明石鹸に埋着され、液状石鹸となっている状態で押し花等を埋着して硬化するが、ここで埋着対象物は押し花に限定はしない。広く一般植物を対象とし、又押圧して作られる平坦な押し花ではなく、乾燥して３次元空間に広がる立体植物を埋着することもある。以下、本発明に係る実施例を図面に基づいて詳細に説明する。
【０００９】
【実施例】
図１は本発明の装飾用アート石鹸を示している実施例である。この石鹸は透明の弱酸性石鹸１である為に、内部には乾燥して３次元空間に広がる立体花２が埋着されているが、この立体花２は透けて見ることが出来る。ここで、石鹸１の成分は特に限定しないことにするが、例えば超透明石鹸を造る場合であれば、ココイルグルタミン酸ＥＴＡ、水、グリセリン、ミリスチルアルコール、アロエエキス、カツミレエキス、ヨクイニエキス、香料を成分として用いることが出来る。そして、この場合の超透明石鹸のｐＨは約５．５となっている。乾燥花を埋着して退色しない為には、弱酸性の透明石鹸のｐＨを６までに抑えることが必要である。
【００１０】
ところで、石鹸１の製造方法も色々知られているが、例えば上記成分から成る材料を約６０〜８０℃に加熱することで溶解し、この溶解液を型に流し込む。そして冷却して固化することで所定の形状とし、その後乾燥される。ここで上記立体花２は、溶解して型に流し込んだところで所定の位置にセットして内部に埋着することが出来る。
【００１１】
又、透明石鹸に埋着する乾燥立体花２の作り方は色々あるが、ここで１具体例を説明する。
図２は乾燥立体花２の作り方を示している概略図であり、同図の３は生花、４は紙等のシート、５は乾燥剤を示している。耐熱性のある容器９に乾燥剤５を入れ、この中に生花３をシート４で包み込んで収容し、シート４の周りには乾燥剤５を盛り上げる。
【００１２】
そして上記容器９を電子レンジに入れてマイクロ波を照射するならば、生花中の水分はマイクロ波によって回転し、その摩擦熱で温度が上昇して高温の蒸気が発生する。発生した蒸気は断熱性と通気性の高いシート４に接し、シート４の働きで瞬時に広範囲に広がって、結露しないうちに乾燥剤５に吸収され、短時間で乾燥した立体花２が出来上がる。そして、このようにして作られる乾燥立体花２は退色することなく、又ｐＨは約５．６となって上記石鹸のｐＨとほぼ同じ値である為に、埋着しても変色することはない。
【００１３】
上記乾燥した立体花２は容器９から取出されて所定の石鹸液中に埋着され、該石鹸液が硬化するならば前記図１に示す立体花入り透明石鹸が出来上がる。ｐＨがほぼ等しい石鹸に埋着される乾燥立体花２は変色することなく、何時までもそのままの色彩が持続し、そして透明石鹸１に埋着した立体花２は外から透けて見ることが出来、装飾性の高いアート石鹸となる。この石鹸１の立体花２は石鹸液を型に流し込む工程において埋着される。
【００１４】
このように電子レンジを使用するならば、生花３の水分を瞬時に蒸発することが出来る為に便利である。しかし、上記電子レンジを使用することなく、ある容器に生花３を入れ、そして該容器に乾燥剤を詰めて約数日間放置すれば乾燥した立体花２が出来上がる。この場合に、容器に直接生花３を入れてもよいが、紙に包んだ状態で容器に入れて乾燥剤を詰めることもあり、紙で包むことで生花３の水分が均等に吸収される利点がある。
【００１５】
図３は本発明の他の実施例であり、同じく乾燥花を埋着しているが、該乾燥花は立体花ではなくて平坦な押し花６となっている。該押し花６の作り方も色々あるが、袋に乾燥剤を入れて平にし、この上に生花３を配置して別の紙を敷き、そして上から重しを載せて２日〜３日放置することで出来上がる。この場合、より早く押し花６を作るには、上記方法で一旦押圧して半乾燥状態と成った押し花を、前記図２に示すように電子レンジを用いた方法で乾燥させることも出来る。又重しを載せて押圧しながら電子レンジにかけることも可能である。
【００１６】
このように３次元空間に広がる立体花２及び平坦な押し花６を型に流し込んだ石鹸液中に入れて硬化することで埋着することが出来るが、上石鹸７と下石鹸８を別々に造って互いに接合し、間に押し花６を挟み込むことも可能である。何れの場合であっても、押し花６は外部に透けて見え、装飾性の高いアート石鹸１となる。
【００１７】
以上述べたように、本発明の石鹸は乾燥した立体花や押し花を透明の弱酸性の石鹸に埋着し、そして石鹸のｐＨを埋着される乾燥植物とほぼ同じ値にしたものであり、次のような効果を得ることが出来る。
【００１８】
【発明の効果】
押し花等を埋着したアート石鹸は従来から知られているが、本発明のアート石鹸は埋着される乾燥植物のｐＨを弱酸性の透明石鹸のｐＨとほぼ同じ値に設定している。従って埋着される乾燥植物は何時までたっても変色することはなく、アート石鹸としての効果を持続出来る。そして乾燥植物は３次元空間に広がる立体形として埋着したり、又は平坦な押し植物として埋着する場合の何れでもよい。
【図面の簡単な説明】
【図１】本発明の装飾用アート石鹸を示す実施例。
【図２】石鹸に埋着する乾燥花の作り方。
【図３】押し花を埋着した装飾用アート石鹸。
【図４】押し花を挟み込んで作られる装飾ようアート石鹸。
【符号の説明】
１  石鹸
２  立体花
３  生花
４  シート
５  乾燥剤
６  押し花
７  上石鹸
８  下石鹸
９  容器
【図１】
0003581959.tif 000002
【図２】
0003581959.tif 000003
【図３】
0003581959.tif 000004
【図４】
0003581959.tif 000005